(57)【要約】選択するためのパラメータを表示するグラフィカルユーザインタフェース（１２、３２）は、習慣又はパターン感知装置（２２、２６）によってカスタマイズ可能である。この装置は、最適化されたフォーマットのディスプレイを与える。ユーザは、ボタン（２０、５０）を１回押して最適化されたインタフェースを承認し、２回押してデフォルトの設定に戻す。パラメータは、例えば、テレビジョンチャンネル、又は、画像処理システムの変数であってよい。
2004510368.tif 000002
【特許請求の範囲】
【請求項１】
少なくとも１つの選択可能なパラメータを有するコンピュータ制御されるシステム用のグラフィカルユーザインタフェースをカスタマイズする方法であって、
上記少なくとも１つの選択可能なパラメータのユーザによる選択をモニタリングする段階と、
任意の選択パターンを決定する段階と、
上記選択パターンに一致する上記パラメータのセレクションの最適化される構成を考え出す段階と、
上記最適化された構成を表示する段階と、
第１の作動によって上記表示された最適化された構成を承認し、第２の作動によって上記表示された最適化された構成をキャンセルするよう構成される作動可能な手段を設ける段階とを含む方法。
【請求項２】
上記パラメータはメニュとして表示され、
上記メニュの中の上記パラメータの順序を変更する請求項１記載の方法。
【請求項３】
上記選択可能なパラメータは、多数のチャンネルを有するテレビジョンシステムのチャンネルである請求項１又は２記載の方法。
【請求項４】
上記選択可能なパラメータは、光学処理システムの処理パラメータである請求項１又は２記載の方法。
【請求項５】
上記光学処理システムは、Ｘ線画像処理システムである請求項４記載の方法。
【請求項６】
上記光学処理システムは、Ｘ線画像記録システムである請求項４記載の方法。
【請求項７】
複数のパラメータが選択可能になるカスタマイズ化可能なグラフィカルユーザインタフェースを有するコンピュータ制御されるシステムであって、
上記パラメータを表示する表示手段と、
上記パラメータを選択する選択手段と、
上記パラメータの選択をモニタリングし、上記パラメータのセレクションの最適化された構成を考え出すモニタリング手段と、
第１の作動によって上記表示された最適化された構成を承認し、第２の作動によって上記表示された最適化された構成をキャンセルするよう構成される作動可能な手段とを含むシステム。
【請求項８】
上記作動可能な手段は、手動式の制御装置である請求項７記載のシステム。
【発明の詳細な説明】
【０００１】
本発明は、改善されるグラフィカルユーザインタフェース（ＧＵＩ）を与える方法及びＧＵＩをホストする装置に関わり、特に、ユーザの要求に応じて変化するＧＵＩに関する。
【０００２】
米国特許第５，７６０，７６８号（マイクロソフト社）には、ユーザが任意の所望のメニュコマンドを実行するキーストロークシーケンスを決定することを可能にし、更に、ユーザが任意のメニュコマンドを所望の表示されたメニュに関連付けることを可能にすることによりカスタマイズされることが可能であるシステムが開示される。しかし、ユーザは、システムに対し何を要求するかはっきりと伝えなければならず、多くのユーザは、所望のカスタマイゼイションを得るためにそのような努力をすることを望まない。
【０００３】
時として変更は自動的に行われる。マイクロソフト社の「Ｗｏｒｄ」（登録商標）ワードプロセッサパッケージのユーザは、例えば「２０００」といった年度を文書にタイプすると、ソフトウェアが自動的に、その日の年月日をＵＳフォーマットで付加する、すなわち、２０００−０３−０３と付加することに気付く。多くのユーザは、たとえ、テキストのその位置においてその日の日付を必要であったとしてもこれをうるさく感じる。また、常に日付が必要であるわけではない。
【０００４】
マイクロソフト社の別の製品「Ｏｆｆｉｃｅ ２０００」（登録商標）では、ソフトウェアがユーザの個人的な作業パターンを学習するにつれてメニュ及びツールバーがパーソナライズ化される。最も頻繁に使用される少数のアイコンが表示され、一方、使用されない又はあまり頻繁に使用されないアイコンは隠されるので、メニュ及びツールバーはシンプルとなる。ここでも、制御メニュオプションによって、全てのオプションアイコンをディスプレイ上に呼び出すことは可能であるが、ユーザにはパーソナライズ化に関し選択権は与えられていない。
【０００５】
ＧＵＩが自動的に変更される一部のシステムでは、ユーザには「取り消し（Ｕｎｄｏ）」ボタンが与えられているが、これは常に簡単に見つけられるわけではなく、更に、ユーザは、小さな変更の場合は気が付かない場合がある。この小さな変更は、正しくないか又はユーザが好むものではない場合がある。
【０００６】
欧州特許出願０５６２９９５（ＩＢＭ）では、インテリジェント・アシスタントのためのグラフィカルエンドユーザインタフェースが開示される。アシスタントは、ユーザに提案を提供するよう構成され、提案は、ソフトウェアで利用可能な標準オプションである。例えば、ユーザが、入来した電子メールを読むために受信トレイを開き、メールがあると分かると、アシスタントは、メールの内容を「見て」、ユーザの過去の動作を観察することにより、動作の標準セットからどの動作をユーザが行うのかを記録する。アシスタントは次に、標準オプションを提供し、それには、メールの発信者に電話をかける及び／又はメールをプリントアウトすることが含まれる。次に、ユーザは、それぞれのオプションアイコンをクリックすることによってオプションを選択し、決定する。しかし、その後、システムは、通常のディスプレイに戻る。
【０００７】
本発明は、従来技術における限界と従来技術に伴っていた不快感を回避するＧＵＩをカスタマイズする方法を提供することを目的とする。
【０００８】
本発明では、少なくとも１つの選択可能なパラメータを有するコンピュータ制御されるシステム用のグラフィカルユーザインタフェースをカスタマイズする方法を提供する。本発明の方法は、
・少なくとも１つの選択可能なパラメータのユーザによる選択をモニタリングする段階と、
・任意の選択パターンを決定する段階と、
・選択パターンに一致するパラメータのセレクションの最適化された構成を考える段階と、
・最適化された構成を表示する段階と、
・第１の作動によって表示された最適化された構成を承認し、第２の作動によって表示された最適化された構成をキャンセルするよう構成される作動可能な手段を設ける段階とを含む。
【０００９】
更なる特徴は、請求項に列挙してあり、それらの開示を本明細書に組込む。
【００１０】
本発明を、添付図面を参照しながら例示的にのみ説明する。
【００１１】
図１は、スクリーン１２を有するテレビ受像機１０を示し、この受像機１０は、赤外周波数の信号といった従来の手段によって動作される遠隔制御装置１４によって動作可能である。遠隔制御装置は、通常の上下ボタン１６、１８、及び、第３のボタンである「最適化」ボタン２０を有する。テレビ受像機は、点線で示す追加の回路２２を含み、これは、チャンネル選択のパターンを記録する。
【００１２】
テレビ受像機のユーザがチャンネルを変更することを望むと、上下ボタンのいずれかが押され、ディスプレイ２４がスクリーン上に設けられ、このディスプレイ２４は、チャンネルを番号順に示す。現在のチャンネルであるチャンネル１から、所望のチャンネルであるチャンネル５に変えるには、ユーザは、上ボタンを毎回押しながらその間のチャンネルを１つずつ走査しなければならない。チャンネル数が多く、チャンネル番号間の差が大きいほど、この動作は単調で退屈となる。
【００１３】
一定期間使用した後に、回路２２は、使用法のパターンを検出する。例えば、ユーザはチャンネル１とチャンネル５を最も頻繁に見ることが検出される。ユーザが、次にチャンネル１を見ている際に上ボタンを押すと、回路２２は、ディスプレイ２４を最適化されたフォームであるようにする。これは、図２に示す。このディスプレイでは、チャンネル５がチャンネル１の隣となる。
【００１４】
次に、最適化ボタン２０を使用する。ユーザはその最適化を承認する場合、ボタン２０を１回押す。それにより、図２に示す最適化されたディスプレイ２４が将来において常に与えられる。ユーザがその最適化を気に入らなかった場合、ボタン２０を２回押すことにより最適化をキャンセルし、図１に示すチャンネル順番に戻される。
【００１５】
図３は、スクリーン３２を有するＸ線記録ビューイング装置３０を示し、スクリーン３２上にはＸ線画像３４が画像処理のために表示される。画像は、それぞれ北、南、東、及び、西とラベル付けされる４つのシャッタ４０、４２、４４、及び４６によって境界付けされ、スクリーン３２は更にメニュ３６も表示する。ビューイング装置３０は、点線で示すビューイング習慣感知装置３８を含み、更に、マウス４８を有する。
【００１６】
周知であるように、Ｘ線画像３４は、シャッタ４０、４２、４４、及び４６を、画像の選択領域を画成するよう動かすことにより処理されることが可能である。画像３４の輝度及びコントラストが変更可能であり、更に画像エンハンスメント機能もある。Ｘ及びＹ方向におけるズームが制御可能である。これらのオプションは全てメニュ３６にリストの形で表示される。例えば、リストは以下のようなものである。
【００１７】
輝度
コントラスト
エンハンスメント
ズームＸ
ズームＹ
北シャッタ
南シャッタ
東シャッタ
西シャッタ
長い一連の同様のＸ線画像を見ているとする。ビューイング習慣感知装置３８は、各画像においてコントラストは異なるが、輝度及びエンハンスメントは、装置３０のデフォルト設定のままであることを感知する。更に、シャッタは動かされるが、ズーム特徴は使用されていないことを感知する。従って、装置３０は以下のような順序の最適化されたメニュ３６を表示する。
【００１８】
コントラスト
北シャッタ
南シャッタ
東シャッタ
西シャッタ
輝度
エンハンスメント
ズームＸ
ズームＹ
最も頻繁に使用される変数が、マウスを使用することによって選択されるべくユーザに好都合に表示される。ユーザは新しいメニュ順序を承認する場合、最適化ボタン５０を１回押し、ユーザが承認しないか又は異なる処理扱いが必要となる異なる一連のＸ線画像の処理を始める場合は、ユーザは、最適化ボタン５０を２回押し、メニュ３６は元の順序に戻される。別個の最適化ボタン５０ではなく、メニュ３６のある領域をマウスによって動作し、最適化を承認又は拒絶することができる。
【００１９】
習慣監視回路を、別個の回路２２、３８として説明したが、実際には、この特徴は、コンピュータ処理装置又はシステム全体を制御するチップのソフトウェア特徴であり、このような変形は本願の特許請求の範囲に包含されるものである。
【００２０】
医療の分野においては、本発明の原理は、Ｘ線画像の処理を最適化することに加えて、Ｘ線画像を最初に形成する際にも適用することが可能である。即ち、一連の繰り返されるＸ線画像がとられるべき場合にＸ線画像システムを設定する際にも適用可能である。
【図面の簡単な説明】
【図１】
本発明のテレビジョンディスプレイへの適用を示す図である。
【図２】
本発明のテレビジョンディスプレイへの適用を示す図である。
【図３】
本発明のＸ線ビューイング及びポストプロセッシングシステムへの適用を示す図である。
【図３】
2004510368.tif 000003
【国際公開パンフレット】
2004510368.tif 000004
2004510368.tif 000005
2004510368.tif 000006
2004510368.tif 000007
2004510368.tif 000008
2004510368.tif 000009
2004510368.tif 000010
2004510368.tif 000011
2004510368.tif 000012
2004510368.tif 000013
2004510368.tif 000014
【国際公開パンフレット（コレクトバージョン）】
2004510368.tif 000015
2004510368.tif 000016
【国際調査報告】
2004510368.tif 000017
2004510368.tif 000018
2004510368.tif 000019